(57)【要約】【課題】本発明は、回路基板を固定する回路基板ケースに関するもので、回路部をケースから部品部に負荷をかけずに取り付け、および取り外しが容易にできることを目的とする。【解決手段】回路部２は、平板形状の基板部３に固定された部品部４から形成され、回路部２は、ケース部１から延びた突起部６と、引掛部７で固定され、引掛部７の一つである一側面側引掛部８は、ケース部１底面に設けた孔部１０と、孔部１０の開口縁から孔部１０の内方でケース部１における他側面側へ延びる引掛脚部１１と、引掛柱部１２と、引掛柱部１２と、引掛爪部１３とから形成され、一側面側引掛部８は、引掛脚部１１をケース部１の底面側から基板側へ押すことで、ケース部１の内方および外方へ撓むことができることにより、回路部２をケース部１から部品部４に負荷をかけることなく、取り付け、および取り外しが容易に行うことが出来る。【選択図】図２
2016046474.tif 000002
【特許請求の範囲】
【請求項１】
上面が開口した箱形状のケース部と、前記ケース部内に装着される回路部とから形成し、前記回路部は、平板形状の基板部と、この基板部に固定された部品部とから形成し、前記ケース部内に前記基板部を着脱自在とする基板着脱部を設け、前記基板着脱部は、前記ケース部から前記基板部の下面まで延びた突起部と、前記ケース部から延び、前記基板部の上面に引っかかる引掛部とから形成し、前記引掛部は、前記ケース部の一側面側に設けた一側面側引掛部と、前記ケース部の一側面に対向した他側面側に設けた他側面側引掛部とから形成し、前記一側面側引掛部は、前記ケース部の底面に設けた孔部と、前記孔部の開口縁から前記孔部の内方で前記ケース部における他側面側へ延びる引掛脚部と、前記引掛脚部の先端から上方へ延びる引掛柱部と、前記引掛柱部の先端から前記ケース部における他側面側へ延びる引掛爪部とから形成され、前記ケース部の内方および外方へ撓むことができ、前記ケース部に前記回路部を取り付け、および取り出し可能な構成とした回路基板ケース。
【請求項２】
前記孔部は、前記引掛脚部を挟む２つの引掛用孔部と、２つの前記引掛用孔部の端部を連結する連結孔部とからなり、
前記連結孔部の開口面積は、２つの前記引掛用孔部の開口面積より大きいことを特徴とする請求項１に記載の回路基板ケース。
【請求項３】
前記回路部の前記基板部は、略長方形形状で、前記基板部の短辺は、前記ケース部の一側面側および他側面側に位置する構成とした請求項１または２に記載の回路基板ケース。
【請求項４】
前記ケース部の一側面に第１の切欠部を設け、前記第１の切欠部は前記一側面側引掛部と対向して設け、前記第１の切欠部の下端の幅は指１本分よりも太いことを特徴とする請求項１から３にいずれかに記載の回路基板ケース。
【請求項５】
前記一側面側引掛部は、前記ケース部の一側面側からみて、前記基板部の右側に位置し、前記一側面側引掛部の左側に、前記一側面側引掛部から前記ケース部の壁面まで指１本分のスペースを備えたことを特徴とする請求項１から４のいずれかに記載の回路基板ケース。
【請求項６】
前記第１の切欠部の大きさは、指２本分の幅があり、前記一側面側引掛部は、前記ケース部の一側面側からみて、右側に位置しており、前記第１の切欠部の下端は、前記基板部の下面より下方に位置することを特徴とする請求項５に記載の回路基板ケース。
【請求項７】
前記引掛柱部と前記引掛脚部との間を撓まないように固定されたことを特徴とする請求項１から６のいずれかに記載の回路基板ケース。
【請求項８】
前記引掛脚部の太さは前記ケース部における一側面側に向かうにつれて太くなることを特徴とする請求項１から７のいずれかに記載の回路基板ケース。
【請求項９】
前記他側面側引掛部は、撓まないように固定されたことを特徴とする請求項１から８のいずれかに記載の回路基板ケース。
【請求項１０】
前記ケース部の他側面には、第２の切欠部を設け、第２の切欠部は前記他側面側引掛部の近傍に位置することを特徴とする請求項１から９のいずれかに記載の回路基板ケース。
【発明の詳細な説明】
【技術分野】
【０００１】
本発明は、空気調和機に用いられる回路基板を固定する固定基板ケースに関する。
【背景技術】
【０００２】
従来、この種の回路基板ケースの構成は以下のようになっていた。
【０００３】
すなわち、電気部品である部品部が載置された基板部とから形成された回路部を固定するものであり、ケース部に設けられかつ弾性を有する爪部と、前記基板部を前記爪部と挟持して固定するリブとからなる回路基板ケースであって、前記爪部に一体形成されかつその先端が前記爪部の先端より下方向に伸びた解除部材と、前記ケース部上における前記解除部材の真下に設けられた孔部とを備えたことを特徴とする構成となっていた。（例えば、特許文献１参照）
【先行技術文献】
【特許文献】
【０００４】
【特許文献１】特開平０８−１２５３５７号公報
【発明の概要】
【発明が解決しようとする課題】
【０００５】
上記従来例における課題は、回路部をケース部から部品部に負荷を掛けずに取り付け、および取り外しすることが困難な点である。
【０００６】
すなわち、従来のものにおいては、回路部をケース部から取り付け、および取り外す場合には、爪部を回路部は外れる方向に撓ませながら、基板部の周縁部とケース部との間の隙間に指を入れ、基板部の周縁部を摘み、または、部品部を摘み、取り付けおよび取り外しを行うものであるが、基板部のサイズや基板部の周縁部とケース部との間の隙間が小さい場合には、指が入りにくく、回路部をケース部から部品部に負荷を掛けずに取り付け、および取り外しが困難となる。
【０００７】
ここで、基板部のサイズや基板部の周縁部とケース部との間の隙間を大きくし、指が入りやすくすることも可能であるが、ケース部の体積が大きくなり、結果として商品も大きくなってしまうものである。
【０００８】
そこで本発明は、回路部をケース部から部品部に負荷をかけずに取り付け、および取り外しを容易に行うことを目的とするものである。
【課題を解決するための手段】
【０００９】
そして、この目的を達成するために、本発明は、上面が開口した箱形状のケース部と、前記ケース部内に装着される回路部とから形成し、前記回路部は、平板形状の基板部と、この基板部に固定された部品部とから形成し、前記ケース部内に前記基板部を着脱自在とする基板着脱部を設け、前記基板着脱部は、前記ケース部から前記基板部の下面まで延びた突起部と、前記ケース部から延び、前記基板部の上面に引っかかる引掛部とから形成し、前記引掛部は、前記ケース部の一側面側に設けた一側面側引掛部と、前記ケース部の一側面に対向した他側面側に設けた他側面側引掛部とから形成し、前記一側面側引掛部は、前記ケース底面に設けた孔部と、前記孔部の開口縁から前記孔部の内方で前記ケース部における他側面側へ延びる引掛脚部と、前記引掛脚部の先端から上方へ延びる引掛柱部と、前記引掛柱部の先端から前記ケース部における他側面側へ延びる引掛爪部とから形成され、前記ケース部の内方および外方へ撓むことができ、前記ケース部に前記回路部を取り付け、および取り出し可能な構成としたものであり、これにより所期の目的を達成するものである。
【発明の効果】
【００１０】
本発明によれば、基板着脱部を、ケース部から基板部の下面まで延びた突起部と、前記ケース部から延び、前記基板部の上面に引っかかる引掛部とから形成し、前記引掛部は、前記ケース部の一側面側に設けた一側面側引掛部と、前記ケース部の一側面に対向した他側面側に設けた他側面側引掛部とから形成し、前記一側面側引掛部は、前記ケース部底面に設けた孔部と、前記孔部の開口縁から前記孔部の内方で前記ケース部における他側面側へ延びる引掛脚部と、前記引掛脚部の先端から上方へ延びる引掛柱部と、前記引掛柱部の先端から前記ケース部における他側面側へ延びる引掛爪部とから形成され、前記ケース部の内方および外方へ撓むことができ、前記ケース部に前記回路部を取り付け、および取り出し可能な構成にしたことにより、回路部をケース部に取り付ける場合には、回路部の基板部に固定された部品部の外周に位置する基板部の周縁部をケース部開口部側より摘み、基板部の周縁部の一部を突起部上かつ、他側面側引掛部に引っ掛け、引掛脚部をケース部底面側より基板部側に押し、引掛爪部をケース部外側に撓ませた状態で、基板部の一方面側も突起部上まで下ろし、その後、引掛脚部の撓みを無くすことで、一側面側引掛部の引掛爪部も基板部に引っ掛けることができる。
【図面の簡単な説明】
【００１１】
【図１】本発明の実施の形態１の回路基板ケースを示す概略斜視図
【図２】同回路基板ケースの基板部と分離した概略斜視図
【図３】同回路基板ケースの一側面側引掛部の拡大斜視図
【図４】同回路基板ケースの断面図
【図５】同回路基板ケースの断面図
【発明を実施するための形態】
【００１２】
以下、本発明の実施の形態について図面を参照しながら説明する。
【００１３】
（実施の形態１）
図１から図５に示すように、本実施形態の回路基板ケースは、上面が開口した箱形状のケース部１と、ケース部１内に装着される回路部２とから形成している。
【００１４】
回路部２は、平板形状の基板部３と、この基板部３の上面に固定された部品部４とから形成している。
【００１５】
ケース部１には、蓋部（図示せず）に固定するための固定部５を設けている。なお、１例として、蓋部は、回路基板ケースを取り付ける、空気調和装置における本体ケースの一部でも良い。
【００１６】
ケース部１内には、基板部３を着脱自在とする基板着脱部を備えている。基板着脱部は、図５に示すように、ケース部１から基板部３の下面まで延びた突起部６と、ケース部１から延び、基板部３の上面に引っかかる引掛部７とから形成している。
【００１７】
引掛部７は、ケース部１の一側面側に設けた一側面側引掛部８と、ケース部１の一側面に対向した他側面側に設けた他側面側引掛部９とから形成している。
【００１８】
図３に示すように、一側面側引掛部８は、ケース部１の底面に設けた孔部１０と、孔部１０の開口縁から孔部１０の内方でケース部１における他側面側へ延びる引掛脚部１１と、引掛脚部１１の先端から上方へ延びる引掛柱部１２と、引掛柱部１２の先端からケース部１における他側面側へ延びる引掛爪部１３とから形成されている。一側面側引掛部８は、ケース部１の内方および外方へ撓むことができるものである。
【００１９】
本実施形態における特徴は、一側面側引掛部８を、ケース部１の底面に設けた孔部１０と、孔部１０の開口縁から孔部１０の内方でケース部１における他側面側へ延びる引掛脚部１１と、引掛脚部１１の先端から上方へ延びる引掛柱部１２と、引掛柱部１２の先端からケース部１における他側面側へ延びる引掛爪部１３とから形成した点である。これにより、引掛脚部１１をケース部１底面側より基板部３側に押し、引掛爪部１３をケース部１外側に撓ませることで、ケース部１に回路部２を取り付け、および取り出し可能になる。
【００２０】
つまり、回路部２をケース部１に取り付ける場合には、回路部２の基板部３に固定された部品部４の外周に位置する基板部３の周縁部をケース部１開口部側より摘み、基板部３の周縁部の一部を突起部６上かつ、他側面側引掛部９に引っ掛け、引掛脚部１１をケース部１底面側より基板部３側に押し、引掛爪部１３をケース部１外側に撓ませた状態で、基板部３の一方面側も突起部６上まで下ろし、その後、引掛脚部１１の撓みを無くすことで、一側面側引掛部８の引掛爪部１３も基板部に引っ掛けることができる。
【００２１】
このため、回路部２を押す動作なく、一側面側引掛部８を撓ませることができるため、回路部２に取り付けられた、部品部４に負荷をかけることが無くなる。また、基板部３を摘む側と、一側面側引掛部８の引掛爪部１３を撓ませる操作を行う側が異なるので、操作をする指を気にすることなく、小さな基板でも、回路部２をケース部１から部品部４を強く押す等、負荷を掛けずに取り付け、および取り外しが容易に行うことが出来る。
【００２２】
また、回路部２をケース部１から取り出す場合も同様に、引掛脚部１１をケース部１の底面側より基板部３側に押し、引掛爪部１３をケース部１外側に撓ませることで、引掛爪部１３を基板部３から外してから、基板部３の周縁部に指を引っ掛け持ち上げることにより、ケース部１から取り出すこととなるので、基板部３を摘む側と、一側面側引掛部８の引掛爪部１３を撓ませる操作を行う側が異なり、小さな基板でも、回路部２をケース部１から部品部４を触らずに取り付け、および取り外しが容易に行うことが出来る。
【００２３】
また、図３に示すように、孔部１０は、引掛脚部１１を挟む２つの引掛用孔部１４と、２つの引掛用孔部１４の端部を連結する連結孔部１５とからなり、連結孔部１５は、引掛爪部１３の下方からケース部１における他側面側へ延びている。連結孔部１５の開口面積は、２つの引掛用孔部１４の開口面積より大きく形成されている。
【００２４】
一側面側引掛部８を撓ませるため、引掛脚部１１をケース部１底面側より基板部３側に押す操作を指で行う場合、指の先端を連結孔部１５よりケース部１の内部へ入れ込むことが出来るようになるため、引掛脚部１１を指の腹で押すことが可能となり、操作が容易となるので、回路部２のケース部１への取り付け、および取り外しが容易となる。
【００２５】
また、図１に示すように、回路部２の基板部３は、略長方形形状で、基板部３の短辺は、ケース部１の一側面側および他側面側に位置している。
【００２６】
回路部２のケース部１への取り付け、および取り外しを行う場合、基板部３の周縁部の一部が突起部６上かつ、他側面側引掛部９に引っ掛け、一側面側引掛部８には引っ掛けていない状態が生じるが、この時、基板はケース部１底面に対し傾いている状態である。基板部３の周縁部近傍に高さのある部品部４が存在場合、回路部２を傾けることで、ケース部１壁面と部品部４との距離が狭まることで、部品部４がケース部１と接触または、基板部３を保持した指がケース部１に接触し、その指が部品部４を押し、基板部３に負荷をかける恐れがあるが、基板部３の短辺を、ケース部１の一側面側および他側面側に位置させることで、傾斜角度が低くなり、回路部２の部品部４を強く押す等、負荷を掛けずに、回路部２をケース部１から取り付け、取り外し作業を容易に行うことが出来る。
【００２７】
また、ケース部１の一側面に第１の切欠部１６を設け、第１の切欠部１６は一側面側引掛部８と対向して設け、第１の切欠部１６の下端の幅は指１本分よりも太く形成している。
【００２８】
ここで、一側面側引掛部８は、基板部３の取り付け、取り外しのために、撓ませることができる構造であるが、破損や衝撃による外れを防ぐために一定の強度を持った構造である。そのため、一側面側引掛部８を撓ませるために、ケース部１底面より引掛脚部１１を一定の強さで押す必要がある。つまり、親指と人差し指など２本以上の指を用いて、摘む動作をすることとなる。
【００２９】
第１の切欠部１６を有することにより、摘む動作を行う対向した指の距離が近くなり、容易に力を入れることができる。そのため、一側面側引掛部８を撓ませる動作を容易にすることができ、基板の取り付け、取り外し動作を容易に行うことができる。
【００３０】
また、一側面側引掛部８は、ケース部１の一側面側からみて、基板部３の右側に位置し、一側面側引掛部８の左側に、一側面側引掛部８からケース部１の壁面まで指１本分以上のスペースを設けている。
【００３１】
一般的に日本では右利きの人が多いので、当然、ケース部に回路部の取り出しを行う場合には、より複雑な作業である一側面側引掛部８を撓ませる動作を右手で行うことが多くなり、左手で基板部３の取り付け、取り外し動作を行うこととなる。つまり、引掛脚部１１をケース部１底面側より押す動作を右手で行うため、ケース部１開口部側には、一側面側引掛部８を撓ませる動作のための固定用の指、例えば右手親指と、基板部３を摘み基板部３を取り出し、取り外し動作に合わせ目的の方向へ動かす指、例えば左手親指、が存在することとなる。
【００３２】
よって、可動させる指つまり、左手がケース部１を保持した時の手前側、つまり一側面側から見て左側に位置することで、基板部３の取り付け、取り外し動作が容易にできる。
【００３３】
また、引掛柱部１２と引掛脚部１１との間を撓まないように固定されている。具体的には、図３に示すように、ケース部１底面から上方に延びた引掛柱部１２と引掛脚部１１との間にリブ部１７を設け、連結し固定されているものである。
【００３４】
これにより、一側面側引掛部８の撓みは、引掛脚部１１の撓みのみに制限され、引掛柱部１２と引掛脚部１１間の屈折部で曲がることが無くなる。よって、基板と水平方向の衝撃が負荷された場合、引掛柱部１２と引掛脚部１１間の屈折部が撓まないことで、外れにくくなると共に、一側面側引掛部８を破損させることが少なくなるため、ケース部１より基板部３を取り外す際に一側面側引掛部８に負荷する力を気にする必要が無くなり、容易に作業することができる。
【００３５】
また、他側面側引掛部９は、撓まないように固定されている。具体的には、図４に示すように、ケース部１の底面から上方に延びた他側面側引掛部９がケース部１の他側面と連結部１８により固定されているものである。
【００３６】
他側面側引掛部９と一側面側引掛部８の両方を撓ませる構造にすると、挿入しようとした時に、作業が安定せず、無理に押し込もうとすると、こじて破損し易いが、この構造により、他側面側引掛部９は撓まないので、基板部３を先に他側面側引掛部９に引っ掛けた後に一側面側引掛部８を撓ませて装着させることしかできなくなるが、一側面側引掛部８だけを撓ませれば良いので、作業が安定し、他側面側引掛部９をこじて破損させることがない。よって、基板部３の取り付け、取り外しに注意を払う必要がなくなり、取り付け、取り外し動作が容易となる。
【００３７】
また、図１に示すように、ケース部１の他側面には、第２の切欠部１９を設け、第２の切欠部１９は他側面側引掛部９の近傍に位置している。
【００３８】
これにより、基板部３の周縁部とケース部１の側面との間の隙間に指（例えば右手人指し指）を入れ、基板の周縁部のみを掴み、取り付けおよび取り外しを行うとき、指は第２の切欠部１９から入れることがこれにより、基板部の周縁部とのケース部１の側面との間を大きくする必要が無く、ケース部１の小型化ができる。
【００３９】
（実施の形態２）
実施の形態１に加えて、引掛脚部１１の太さはケース部１における一側面側に向かうにつれて太く形成している。
【００４０】
これにより、ケース部１から引掛脚部１１が延びる、引掛脚部１１の付け根幅が太くなることとなる。ここは、一側面側引掛部８を撓ませる起点となる場所であり、力が集中する点である。その幅が太くなることで、応力が分散され、一側面側引掛部８を撓ませることで引掛脚部１１が破損しにくくなる。よって、基板部３の取り付け、取り外しに注意を払う必要がなくなり、取り付け、取り外し動作が容易となる。
【産業上の利用可能性】
【００４１】
本発明にかかる回路基板ケースは、小型な基板のケースへの取り付け、取り外し操作を容易にするものであるので、空気調和機等に用いられる回路基板を固定する回路基板ケースとして有用である。
【符号の説明】
【００４２】
１    ケース部
２    回路部
３    基板部
４    部品部
５    固定部
６    突起部
７    引掛部
８    一側面側引掛部
９    他側面側引掛部
１０    孔部
１１    引掛脚部
１２    引掛柱部
１３    引掛爪部
１４    引掛用孔部
１５    連結孔部
１６    第１の切欠部
１７    リブ部
１８    連結部
１９    第２の切欠部
【図１】
2016046474.tif 000003
【図２】
2016046474.tif 000004
【図３】
2016046474.tif 000005
【図４】
2016046474.tif 000006
【図５】
2016046474.tif 000007